(57)【要約】【課題】　　　　　　上部ケーシングに立った状態のユーザに、足の裏より上下方向の振動を与えるマッサージ機を提供する。【解決手段】　　　　モータの回転を、上下運動に変換し、人の立っている上部ケーシングの下側より上下方向の振動を与える。　上部ケーシングと下部ケーシング間のバネが人の体重により圧縮し、体重等と弾性力が均衡した状態で起振する。【選択図】　　　　　図３
0003100417.tif 000002
【実用新案登録請求の範囲】
【請求項１】
　ユーザが両脚をのせて立つことが可能な上部ケーシングと、
　前記上部ケーシングに乗ったユーザの重量を含めての全重量を床に伝える下部ケーシングと、
　前記上部ケーシングと下部ケーシングとの間に位置し、モータの回転力により前記上部ケーシングを上下方向に振動させる振動発生部とを有していることを特徴とする縦振動マッサージ機。
【請求項２】
　前記振動発生部は、
　モータにより回転する円盤の偏心した位置にあるピンと、一端が該ピンに回転可能な態様で貫通され、他端が前記上部ケーシングに回動可能な態様で取付けられた軸により、モータの回転運動を上下方向の往復運動として取出し、前記上部ケーシングの上下方向の振動に変換する変換部を有していることを特徴とする請求項１に記載の縦振動マッサージ機。
【請求項３】
　前記上部ケーシングと下部ケーシング間に在り、上部ケーシングに乗ったユーザの重量を含めての前記上部ケーシングの重量を下部ケーシングに伝えるバネを有していることを特徴とする請求項１若しくは請求項２に記載の縦振動マッサージ機。
【請求項４】
　前記振動発生部は、
　前記上部ケーシングに乗ったユーザの重量を含めての前記上部ケーシングの重量と前記バネに圧縮により生じた上方向きの弾性力が均衡している状態で、前記上部ケーシングを振動させるものであることを特徴とする請求項１から３のいずれかに記載の縦振動マッサージ機。
【考案の詳細な説明】
【技術分野】
【０００１】
　本発明は健康増進用機械装置に関し、特に立った状態の人の体全体に足の裏より縦方向の振動を与えるマッサージ機に関する。
【背景技術】
【０００２】
　従来より、人体の一部に振動を与えて刺激し、その部分の血行を良くしたりする健康保持用機器には様々のものがある。例えば、安楽椅子に座った人の肩をたたく肩たたき機、ユーザ等が手で保持して体の一部に微振動を与えるマッサージ機等である。
【０００３】
　また、以下の特許文献１に示すように、立った人の足の裏を叩くマッサージ機もある。
【特許文献１】特願平８−３３７１２３号公報
【考案の開示】
【考案が解決しようとする課題】
【０００４】
　しかしながら、これらの健康増進用の機械類は、いずれも肩等体の一部に機械的刺激を与えるだけであり、体全体に刺激を与えるものではない。
【０００５】
　また、あくまでも肩の血行を良くしたりする等体の不調の部分の回復を図るのが主であり、運動用機器類、例えば室内マラソン用機、のごとくユーザの運動機能の増進を図るという作用は無いか、あっても少ない。
【０００６】
　また、室内マラソン用機等のユーザの運動機能の増進、筋力アップを図るような機械類は一般に高価である。
【０００７】
　このため、単にユーザが不調と思っている体の局部にのみ刺激を与えるだけでなく、体全体に刺激を与えてマッサージ効果を発揮し、更には全身へのマッサージ効果の結果としてユーザの健康増進、筋力アップ、女性の場合には更にエネルギーの消費による肥満防止あるいは美容効果を発揮する。しかも安価な健康増進用の機械の開発が望まれていた。
【課題を解決するための手段】
【０００８】
　本考案は、以上の課題を解決することを目的としてなされたものであり、本考案の健康保持、増進用の機械上に立った状態のユーザの足下の台に下方より上方への打撃、振動を繰り返し与えて、ユーザの体全体に上下方向の加速度を繰り返し加えるようにしている。
【０００９】
　また、上下方向の起振、打撃は、ユーザの体中心の直下に、前後方向に直交する（左右）方向に設置されたモータの左右から回転を取出し、この取出したモータの回転力を利用して与えている。このため、プーリー、ベルトシステムを採用している。
【００１０】
　以上の他、床等に不必要な振動を与えないため、種々の工夫を凝らしている。
【考案の効果】
【００１１】
　本考案の縦振動マッサージ機は、ユーザが立った状態でその足下の台に上下方向の振動を与えるため、全身のマッサージ効果に優れたものとなる。また特に、腰部、脚部のマッサージ効果に優れたものとなる。
【００１２】
　同じく、局所的なマッサージでなく、全身をマッサージする、特に脚部、腰部、そして背筋に上下方向の振動が加わる、このため筋力増進に繋がり、更に体のエネルギーも消耗されるので、特に女性の場合には美容上の効果も生じる。
【考案を実施するための最良の形態】
【００１３】
　以下、本考案をその最良の実施の形態に基づいて説明する。
【００１４】
　図１は、本発明に係る縦振動マッサージ機の全体の外観を示す図である。本図のＡは平面を、Ｂは側面を示す。
【００１５】
　図２は、このマッサージ機の起振機構である。本図の（Ａ）は平面を、（Ｂ）は（Ａ）のＡ−Ａ部の矢視である。
【００１６】
　図３は、図２に示す起振機構によりこのマッサージ機がユーザが立って乗った状態で上下に振動する機構を示す図である。
【００１７】
　これら各図において、１は上部ケーシングであり、１１はその上表面に在る左右の足を乗せる台座であり、１２は発停用ボタンである。１４は、手で握って搬送するための把持用穴である。２は下部ケーシングであり、２１はその下面に取り付けられた合計４個の脚である。３はモータであり、３１はその両端から突出した軸である。３２は、このモータ軸に固定された２個の小プーリであり、３３はＶベルトであり、３４は大プーリである。３５は、大プーリの回転軸である。４１は、モータ用軸受である。４２は、大プーリの軸受である。５１はバネである。５２は、振動取出し用腕である。５３は、偏心軸である。
【００１８】
　以下、これらの図を参照しつつこの縦振動マッサージ機を説明する。
【００１９】
　先ず、使用方法について説明する。ユーザは、床に置かれた本機の左右２ヶ所の合成樹脂製の足用の台座１１に両足を乗せ、発停用のボタン１２を押す。すると、この縦振動マッサージ機の上部ケーシングが１分間に８００サイクルで上下に軽く振動する。この状態でユーザは、発停ボタンを押すための前屈みの座った姿勢から立位となる。後に説明する制御機構の作用の下、１分間で上下振動が自動停止するまでユーザは立ったままであり、これにより全体がマッサージされる。
【００２０】
　なお、本縦振動マッサージ機は、左右の足用の台座が個々に振動するのではなく、上部ケーシングが一体となって振動するが、これはユーザが立位となるため左右の台座の振動のアンバランス、不整合が発生するのを極力防止すること、機構を簡単とすること等を考慮したものである。
【００２１】
　次に、起振源について図２を参照しつつ説明する。本図に示すように、本縦振動マッサージ機の起振源は電動モータ３である。このモータは、その回転軸３１をモータ本体の両端から使用状態のユーザから見て左右の外方へ突出しており、かつ左右へ突出した回転軸には各小プーリ３２が付いている。この２個の小プーリの回転力は各々Ｖベルト３３を介して２個の大プーリ３４に伝えられる。更に、２個の大プーリの回転力は、その回転軸から離れた位置に取付けられた偏心軸５３とこの偏心軸に下端が貫通された振動取出し用腕５２を介して上部ケーシングの上下方向の振動力とされる。なお、この振動取出し用腕は、上部ケーシングの下面に在る軸５４に貫通されて上部ケーシングに取付けられている。
【００２２】
　以下、図３を参照しつつ上部ケーシングの振動を説明する。本図の（Ａ）に示すように、ユーザの体重は、基本的にはあるいはほとんどは上部ケーシングと下部ケーシング間に介在された左右２個のスプリングコイル５１により支持されている。そして（Ｂ）に示すごとく上部ケーシングのユーザから見て前方側の裏面（ケーシング内部の下面）に下方へ振動取出し用腕５２が伸び、その先端部は大プーリ３４の偏心軸５３に貫通されている。このため、大プーリの回転に伴い上部ケーシングは上下に、厳密には前後にも振動することとなる。更に、ユーザの体重等とバネの圧縮で生じた弾性力とが均衡した状態で振動するため、上部ケーシング上のユーザに一層の振動感覚を持たせる。
【００２３】
　最後に、図４を参照しつつ本マッサージ機の電気部の構成を説明する。本マッサージ機は、ＡＣ１００Ｖの電源で駆動される。更に安全装置としてノンヒューブブレーカ６２とモータ３近傍のサーモスタット６３とを有している。また、ユーザがスイッチ１２を押すとコントローラ６に内蔵しているタイマー６１が作動し、６０秒後に停止するようになっている。以上の他、ユーザがスイッチ１２を押しても停止するようになっている。
【００２４】
　ここで、６０秒で自動停止するのは、何事もほどほどが大切であること、特に夏季におけるモータの過熱防止を考慮したものである。
【００２５】
　以上の他、本縦振動マッサージ機は、建物床への振動の伝達を極力少くする機構、上下のケーシング間のストッパーや嵌合機構等を有しているのは勿論である。更に、足用の台座はその上部裏面に滑り防止のための多数の凹凸が形成され、発停操作用ボタンも防水用のゴム皮膜で覆われる等している。しかしながらこれらは、本願発明の構成に直接の関係はなく、またいわゆる周知技術でもある。このためそれらについての説明は省略する。
【００２６】
　図５に、本考案の他の実施の形態を示す。本実施の形態においては、バネは合計４個としている。ただし、図では２個５１１、５１２のみ示してある。
【００２７】
　以上、本考案をその実施の形態に基づいて説明してきたが、本考案は何もそれらに限定されないのは勿論である。すなわち、例えば以下のようにしていてもよい。
発停用の操作部は、コードを介して本体に接続されており、このためユーザは立った状態で発停の制御が可能となっている。またこれにあわせて、上下方向の加速度も調整可能となっている。このため、床のしっかりしたマンションでは、通常の家屋と異なり多少加速度を大にして使用しえることとなる。
ユーザが両脚で立つのであるから、体重計、体脂肪計等と一体的に組み合わさったものとしている。
左右の足用の台座毎に振動するようにしている。
幼児、児童用に、手で持つ枠を取付けている。
片足若しくは両足のふくらはぎ等のマッサージに使用可能とする。
【図面の簡単な説明】
【００２８】
【図１】本発明の第１の実施の形態の縦振動マッサージ機の外観図であり、（Ａ）は平面を、（Ｂ）は側面を示す。
【図２】上記実施の形態の縦振動マッサージ機のモータを中心とする起振源の要部を示す図であり、（Ａ）は平面を、（Ｂ）は（Ａ）のＡ−Ａ矢視を示す。
【図３】上記実施の形態の縦振動マッサージ機の上部ケーシングの振動の原理を示す図である。
【図４】上記実施の形態マッサージ機の電気回路を概念的に示す図である。
【図５】本発明の他の実施の形態のマッサージ機の構成を概念的に示す図である。
【符号の説明】
【００２９】
１　　　上部ケーシング
２　　　下部ケーシング
３　　　モータ
１１　　足用の台座
１２　　発停用ボタン
２１　　脚
３１　　モータ軸
３２　　小プーリ
３３　　Ｖベルト
３４　　大プーリ
４１　　モータ用軸受
４２　　大プーリ用軸受
５１　　バネ
５２　　振動取出し用腕
５３　　偏心軸
５４　　上部ケーシング下面の軸
６　　　コントローラ
６１　　６０秒タイマー
６２　　ＮＦＢ
６３　　サーモスタット
【図１】
0003100417.tif 000003
【図２】
0003100417.tif 000004
【図３】
0003100417.tif 000005
【図４】
0003100417.tif 000006
【図５】
0003100417.tif 000007